(57)【要約】 【課題】洗い場に向けて設けた洗浄ノズルにより放散した洗浄水およびすすぎ水が、排水勾配上流部から排水勾配下流部へ流れる際に、洗い場床面を単に流れて洗浄しすすぐだけでなく、積極的に洗い場床面の各部位に洗浄水およびすすぎ水を直に降り注ぐようにして、より効率的に、排水勾配上流部から排水勾配下流部の洗い場床面の各部位を洗浄およびすすぐ。【解決手段】洗い場洗浄ノズル６を、洗い場床面５の排水勾配下流部に配置し、洗い場洗浄ノズル６の吐出方向を斜め上向きにして洗い場床面５の排水勾配上流部に向けて設定し、洗浄水およびすすぎ水の流量を減少させることで、排水勾配上流部から排水勾配下流部に向けて洗浄水およびすすぎ水を吐出し、洗い場床面５の各部位に直に降り注ぐ。【選択図】図１
2010148745.tif 000002
【特許請求の範囲】
【請求項１】
洗浄水およびすすぎ水を吐出可能なノズルを備え、洗浄水およびすすぎ水が洗い場床面に吐出される洗浄装置であって、ノズルの吐出方向が斜め上向きに設定されており、洗浄水およびすすぎ水の流量を増加あるいは減少させることが可能であることを特徴とする洗浄装置。
【請求項２】
請求項１に記載の洗浄装置であって、ノズルから吐出される洗浄水およびすすぎ水の洗い場床面への到達距離が変更可能であることを特徴とする洗浄装置。
【請求項３】
請求項１または２に記載の洗浄装置であって、ノズルを洗い場床面の排水勾配下流部に配置し、洗浄水およびすすぎ水の流量を徐々に減少させることを特徴とする洗浄装置。
【請求項４】
請求項１または２に記載の洗浄装置であって、ノズルを洗い場床面の排水勾配上流部に配置し、洗浄水およびすすぎ水の流量を徐々に増加させることを特徴とする洗浄装置。
【発明の詳細な説明】
【技術分野】
【０００１】
本発明は、洗浄装置に関し、特に、斜め上向きノズルから洗浄水およびすすぎ水を噴出し、その流量を変化させる洗浄装置に関し、また、ノズルを洗い場床面の排水勾配下流部に設置し洗浄水およびすすぎ水の流量を徐々に減少させる、あるいはノズルを洗い場床面の排水勾配上流部に設け、洗浄水およびすすぎ水の流量を徐々に増加させる洗浄装置に関する。
【背景技術】
【０００２】
従来、浴室の洗い場の床面を洗浄する洗浄装置が知られている。例えば、浴槽洗浄装置あるいは浴室の洗浄装置において、ノズルからの噴出流量を変化させるものが知られている（特許文献１〜３参照）。また、浴槽洗浄装置において、給水管に流量センサを備えたものも知られている（特許文献４参照）。
【０００３】
また、本発明者は、洗浄装置において、ノズルを洗い場床面の排水部近傍に配置し、洗浄水を排水勾配上流部から排水勾配下流部に流す構成について、すでに提案している（特願２００８−２９４９４７号参照）。 
【０００４】
【特許文献１】特開平５−３２９０９３号公報
【特許文献２】特開平１１−１５５７５２号公報
【特許文献３】特開２００４−３２９７８７号公報
【特許文献４】特開平１０−６６６５９号公報
【発明の開示】
【発明が解決しようとする課題】
【０００５】
浴室の洗い場に向けて設けたノズルから洗浄水およびすすぎ水を吐出し、洗い場の床面を洗浄する洗浄装置では、床面全面のそれぞれの部位について洗浄水およびすすぎ水を散布し、十分洗浄することが重要である。
【０００６】
洗い場に向けて設けたノズルは斜め上向きに向け、洗浄水およびすすぎ水を洗い場の排水部より離れた箇所に吐出するようにして、その吐出された洗浄水およびすすぎ水が排水勾配上流部から排水勾配下流部へ流れる際に、洗い場床面を洗浄してすすぐことが可能であるが、洗い場床面の各部位に直に洗浄水およびすすぎ水を集中的に降り注ぐようにすれば、より効率的に、洗い場床面の各部位を洗浄およびすすぐことが可能となる。
【０００７】
本発明は、洗い場に向けて設けたノズルにより吐出した洗浄水およびすすぎ水が、排水勾配上流部から排水勾配下流部へ流れる際に、洗い場床面の表面に沿って単に流れて洗浄しすすぐだけでなく、積極的に洗い場床面の各部位に洗浄水およびすすぎ水を直に降り注ぐようにして、より効率的に、洗い場床面の各部位を洗浄およびすすぐことが可能なようにすることを課題とする。
【課題を解決するための手段】
【０００８】
本発明は上記課題を解決するために、洗浄水およびすすぎ水を吐出可能なノズルを備え、洗浄水およびすすぎ水が洗い場床面に吐出される洗浄装置であって、ノズルの吐出方向が斜め上向きに設定されており、洗浄水およびすすぎ水の流量を増加あるいは減少させることが可能であることを特徴とする洗浄装置を提供する。
【０００９】
ノズルから吐出される洗浄水およびすすぎ水の洗い場床面への到達距離が変更可能とすることが好ましい。
【００１０】
ノズルを洗い場床面の排水勾配下流部に配置し、洗浄水およびすすぎ水の流量を徐々に減少させる構成としてもよい。
【００１１】
ノズルを洗い場床面の排水勾配上流部に配置し、洗浄水およびすすぎ水の流量を徐々に増加させる構成としてもよい。
【発明の効果】
【００１２】
本発明の洗浄装置によれば、洗い場に向けて設けたノズルにより吐出した洗浄水およびすすぎ水が、排水勾配上流部から排水勾配下流部へ流れる際に、洗い場床面を洗浄しすすぐだけでなく、積極的に洗い場床面の各部位に洗浄水およびすすぎ水を降り注ぐようにしたので、洗い場の各部位をより効果的に洗浄することができる。また、すすぎ水を吐出して洗い場床面に流してすすぐ際に、すすぎ水の流量を変化させることにより、泡を流れ易くでき、これによってすすぎの効率を向上させることができる。
【発明を実施するための最良の形態】
【００１３】
本発明の洗浄装置を実施するための最良の形態を実施例に基づき図面を参照して、以下説明する。なお、洗い場床面を洗浄するために、洗剤液を温水に混ぜて洗浄水として使用するが、洗剤液を混ぜることなく温水のみをすすぎ水（濯ぎ水）として使用する場合もある。以下、実施例では、洗浄水は、洗剤液を温水に混ぜた洗浄水（狭義の洗浄水）だけでなく、単にすすぎ水だけの場合も洗浄水として説明する。
【実施例１】
【００１４】
図１、２および５は、本発明の洗浄装置１の実施例１の構成を示している。そして、排水部３の位置は、洗い場２の中心は入浴者にとってじゃまとなるので好ましくなく、例えば、洗い場２において浴槽４のエプロン４’の長手方向の中央部の直下付近に設けられている。この実施例１は、図１（ａ）、図２（ａ）に示すように、洗い場２の排水部３は、浴槽４の長手方向の略中央部であって浴槽４のエプロン４’の下部に隣接して設けられている。
【００１５】
通常、洗い場床面５には、その全面において排水部３に向けて緩やかな排水勾配α（図１（ｂ）参照）が形成されている。これによって、図１（ｂ）の矢印および図２（ｂ）の白抜き矢印に示すように、洗い場床面５の排水勾配上流部から排水勾配下流部に向けて、要するに排水部３に向けて水が流れる。
【００１６】
ところで、洗い場床面５を洗浄するためのノズル６（「洗い場洗浄ノズル」と言う。）は、洗い場床面５の全方向に洗浄水を散布し全面に洗浄水を注ぐためには、洗い場床面５の全面からできるだけ距離的に均等な位置に設けることが好ましい。この実施例１では、本発明の洗浄装置１では、洗い場洗浄ノズル６を、排水部３の近傍の位置に設ける構成とした。
【００１７】
具体的には、図１（ａ）、（ｂ）および図２（ａ）に示すように、浴槽４のエプロン４’の長手方向の中央における立面部７の下部に取り付けられている。洗い場洗浄ノズル６は、以下に説明するが、洗い場床面５の全方向に向けて洗浄水を吐出するように構成されている。
【００１８】
洗い場洗浄ノズル６は、洗浄水を供給する洗い場洗浄水供給管８に接続され、１又は複数個設けられている。本実施例１では洗い場洗浄ノズル６は、２個設けられており、それぞれ、図２（ａ）に示すように、浴槽４を背にして洗い場床面５の左側の領域９、右側の領域１０に向けて設置されている。
【００１９】
洗い場洗浄ノズル６へ洗浄水を供給する洗い場洗浄水供給管８は、図２（ａ）および後述する図５に示すように設けられ、洗い場洗浄ノズル６の手前で分岐され、それぞれ洗い場洗浄ノズル６に接続されている。
【００２０】
洗い場洗浄ノズル６は、その配置位置から洗い場床面５の全方向に吐出可能なように設定されている。具体的には、２個の洗い場洗浄ノズル６は、それぞれ水平方向において洗浄水を所定幅で吐出可能な広幅ノズル（吐出口の横幅が縦幅に比べてより大きい寸法で形成され、「扇形ノズル」とも呼ばれている）であり、吐出方向が斜め上向きに設定されて取り付けられている。
【００２１】
これにより、２個の洗い場洗浄ノズル６は、それぞれ洗い場床面５の左側の領域９および右側の領域１０の全方向に向けて吐出し、図１（ａ）、（ｂ）、図２（ａ）に示すように、洗浄水はなだらかな放物線を描いて扇形に広がって放散される。
【００２２】
洗い場洗浄ノズル６からの洗浄水が、浴室壁面１１の下部付近（洗い場床面５と浴室壁面１１との角部辺り）をめがけるような勢いで吐出されると、図２（ｂ）に示すように、洗浄水が洗い場床面５の排水勾配上流部から排水勾配下流部の排水部３方向に向けて流れ、洗い場床面５の略全面に洗浄水が注がれ、洗浄することが可能となる。
【００２３】
本発明の洗浄装置１では、洗い場洗浄ノズル６からの洗浄水の吐出の勢いおよびそれによる到達距離は、洗い場洗浄ノズル６に洗浄水を供給する洗浄ユニット１２において調整されるように構成した。即ち、本発明の特徴は、洗い場洗浄ノズル６から吐出される洗浄水の流量を増加又は減少させることで、洗浄水の洗い場床面５への到達距離を変化させ、洗浄水が直に降り注ぐ洗い場床面５の部位を変えて、洗い場床面５のなるべく全面をきめ細かく効率的に洗浄する構成とした点である。
【００２４】
洗い場洗浄ノズル６から吐出される洗浄水の流量の増加又は減少は、連続的に行うような構成としてもよいし、間歇的（断続的）に行うような構成としてもよい。連続的に行う構成によれば、洗浄水が直に降り注ぐ洗い場床面５の部位が連続的に変わり、間歇的に行う構成によれば、洗浄水が直に降り注ぐ洗い場床面５の部位が間歇的に変わる。
【００２５】
ところで、本実施例１では、前記のとおり、洗い場洗浄ノズル６を、排水部３の近傍の位置、換言すると、洗い場床面５の排水勾配下流部に配置されている。そして、洗い場洗浄ノズル６からの洗浄水は、図１（ｂ）に示すように、洗い場床面５の排水勾配上流部に目がけて吐出され、最も遠くへは、浴室壁面１１の下部付近（洗い場床面５と浴室壁面１１との角部辺り）に降り注ぐような勢いで吐出される。
【００２６】
そして、最も遠くへの浴室壁面１１の下部付近へ降り注ぐ吐出状態、即ち、図１（ｂ）、図２（ａ）のア〜オに示すように、洗浄水を吐出する流量を最大の状態から徐々に減少させる構成とした。このような構成にすると、洗い場洗浄ノズル６から吐出された洗浄水が直に降り注ぐ洗い場床面５の部位は、浴室壁面１１の下部付近の排水勾配上流部から排水部付近の排水勾配下流部に徐々に移っていき、洗い場床面５の異なる部位をきめ細かく洗浄可能となる。
【００２７】
しかも、排水勾配上流部から流れる洗浄水と、徐々に下位に移りながら降り注ぐ洗浄水とを合流させて、あたかも河川において、川上から川下に向かって流れる水量が増えるかのような状態となり、洗い場床面５を十分洗浄することが可能となる。
【００２８】
仮に、上記とは逆に、洗い場洗浄ノズル６からの吐出流量を徐々に増加すると、洗い場洗浄ノズル６から吐出された洗浄水が直に降り注ぐ洗い場床面５の部位は、洗い場勾配下流部から洗い場勾配上流部に向けて徐々に移る。
【００２９】
この場合は、上記の場合に比較して、洗い場勾配上流部からの洗浄水も合流して水量が増えるようなことが少なく、洗い場勾配下流部から洗い場勾配上流部に向けてそれぞれの部位に降り注いだ洗浄水が、比較的にその流量のみの状態で、それぞれが洗い場勾配下流部に流れるので、洗浄効果が高くはない。
【００３０】
要するに、洗い場勾配下流部に洗い場洗浄ノズル６を取り付けた構成では、洗い場洗浄ノズル６からの洗浄水の吐出する流量を徐々に減少する構成とすると、洗い場洗浄ノズルからの洗浄水の吐出する流量を徐々に増加する構成に較べて、吐出する洗浄水の流量の総量は同じでも、洗い場勾配上流部からの洗浄水とそれより下流の洗浄水が合流して流れるので、より効果的な洗浄が可能となる。
【００３１】
さらに、すすぎ水を吐出して洗い場床面に流してすすぐ際に、洗い場勾配上流部に向けて吐出している状態から、徐々にすすぎ水の流量を減少するように変化させることにより、洗い場床面のすすぎ水の流れに変動を与えることで、泡を流れ易くでき、これによってすすぎの効率を向上させることができる。
【００３２】
なお、上記実施例１では、洗い場洗浄ノズル６を洗い場勾配下流部に設けた構成であり、その例として、洗い場床面５の左側の領域９、右側の領域１０に向けて、洗い場洗浄ノズル６を２個設けているが、必ずしもこのような構成としなくてもよい。
【００３３】
即ち、洗い場床面５の面積が小さい場合、或いは洗い場床面５の全方向に均等に洗浄水を吐出できるような構造のノズルを用いる場合などであれば、洗い場洗浄ノズル６の数は２個でなくても１個でもよい。また、洗い場床面５の面積が大きい場合等では、３個以上でもよい。また、洗い場洗浄ノズル６は１つであるが複数の吐出口を有する構成としてもよい。
【００３４】
本発明は、上記のとおり、洗い場洗浄ノズル６から吐出される洗浄水の吐出流量を調整することで吐出の勢いを制御することができる構成とした。このように、洗い場洗浄ノズル６から吐出される洗浄水の吐出流量を調整しながら供給する動作は、次に説明する洗い場洗浄ノズル６に洗浄水を供給する洗浄ユニット１２において行われる。
【００３５】
図５は、本発明に係る洗浄装置１において、洗い場洗浄ノズル６に洗浄水を供給するための配管系の全体構成を説明するブロック図である。この洗浄装置１では、図５に示すように、洗い場洗浄ノズル６と、浴槽４に取り付けられる浴槽洗浄ノズル２２と、洗い場洗浄ノズル６および浴槽洗浄ノズル２２に洗浄水を供給する洗浄ユニット１２と、洗浄ユニット１２に洗剤を供給する洗剤供給部である洗剤タンク２３と、洗浄ユニット１２に湯水を供給する給湯器２４（温水供給部）を備えている。
【００３６】
給湯器２４は、水を加熱し温水として供給する装置であり、通常は、浴槽４、水栓２５、台所等に給湯する給湯器が使用される。この給湯器２４には、水道管２６から水道水が供給され、また追い焚き用の配管２７を通して浴槽４からの温水も供給され、加熱されて浴槽用温水供給管２８から浴槽４に温水が供給される。給湯器２４は、浴室リモコン３０、台所リモコン３１等の操作によって、制御される。
【００３７】
給湯器２４から温水供給管３２を通して洗浄ユニット１２および水栓２５に温水を供給する。浴槽洗浄ノズル２２および洗い場洗浄ノズル６は、浴槽洗浄水供給管３３および洗い場洗浄水供給管８を介して、三方弁３４、洗浄水供給管３５、洗浄ユニット１２のベンチュリ３６に順次接続されている。洗浄ユニット１２は、ケース内に次に説明するような各機器がユニット化して設けられている。
【００３８】
洗浄ユニット１２は、水通路部３７を有しており、この水通路部３７に、順次、フィルタ３８、水量サーボ弁３９、流量センサ４０、注湯電磁弁４１、逆止弁４２、２つの縁切り弁４３、逆止弁４４およびベンチュリ３６が配置されている。さらに、洗浄ユニット１２は、ベンチュリ３６に連通する洗剤電磁弁４５を備えている。
【００３９】
水通路部３７に設けられた各機器は、それぞれ制御装置４６に接続されており、制御装置４６によって制御される。水量サーボ弁３９は、流量調整手段として、制御装置４６からの流量調整信号を受けて温水の流量を調整する。制御装置４６は、洗浄リモコン２９で操作され、三方弁３４の開閉を制御することにより、洗浄水を、浴槽洗浄ノズル２２又は洗い場洗浄ノズル６へ切り替えて供給する。
【００４０】
制御装置４６からの洗浄開始信号が注湯電磁弁４１に送られると注湯電磁弁４１が開き、給湯器２４から温水供給管３２を通して、洗浄ユニット１２内に温水が送られる。洗浄ユニット１２のフィルタ３８は、給湯器２４から出湯された温水を受けてろ過し、流量センサ４０が温水の瞬間的な流量（流量／時間）を計量して計量信号を制御装置４６に送信する。
【００４１】
制御装置４６は、その計量値を水量サーボ弁３９に送信し、水量サーボ弁３９はその計量値に応じて適宜、その弁の開閉度合いを制御し、洗い場洗浄ノズル６が噴射するに適した流量となるように制御する。２つの逆止弁４２、４４は洗浄水の逆流を防止し、縁切り弁４３は、負圧発生時に逆止弁４４で止水された洗浄水を水通路部３７から洗浄ユニット１２外に排出する。
【００４２】
洗剤タンク２３は、洗剤液を入れるタンクであり、洗剤液の充填状態は、フロートスイッチ４７で検知されており、充填量が少なくなったらその検知信号を制御装置４６に送信し、制御装置４６で洗剤切れ信号を発生するように構成されている。
【００４３】
制御装置４６は、具体的には、マイコン（マイクロコンピュータ）が利用され、このマイコンは、洗浄リモコン２９で操作されるように構成されている。このような制御装置４６の記憶部に、洗浄動作プログラムが格納されており、この洗浄動作プログラムに、洗い場洗浄ノズル６からの洗浄水吐出流量について、徐々に減少するように水量サーボ弁３９を制御する動作と、洗浄水吐出流量を徐々に増加するように水量サーボ弁３９を制御する動作とが含まれている。
【００４４】
これらのいずれかの動作を洗浄リモコン２９の操作で予め選択して設定可能であり、この実施例１では、予め、洗い場洗浄ノズル６から洗浄水が吐出する流量を徐々に減少するように水量サーボ弁を制御する動作が設定されている。従って、洗浄リモコン２９を操作して洗浄動作を開始すると、制御装置４６は、洗浄動作プログラムに基づき、水量サーボ弁３９を制御して、洗い場洗浄ノズル６からの洗浄水の吐出流量を徐々に減少する。
【００４５】
（作用）
以上の構成から成る洗浄装置１の作用は次のとおりである。洗浄リモコン２９によって、洗い場床面５の洗浄を行うように操作すると、図５において、制御装置４６は、三方弁３４を洗い場洗浄水供給管８側に切り替える。そして、制御装置４６は、注湯電磁弁４１を開くとともに、水量サーボ弁３９を制御して、洗い場洗浄ノズル６から吐出される洗浄水の吐出流量が、最初は、浴室壁面１１の下部付近をめがけ、その後徐々に減少させるように自動的に調整しながら洗浄水を洗い場洗浄ノズル６に供給する。
【００４６】
注湯電磁弁４１が開いている間、洗剤電磁弁４５を開くように制御すれば、洗剤液を洗剤供給管４８を通してベンチュリに供給する。ベンチュリ３６に供給された洗剤液は、ベンチュリ３６を通過する温水に混入される。これによって、洗剤入りの洗浄水が調製されて洗い場洗浄ノズル６に供給され、洗い場洗浄ノズル６から吐出される。
【００４７】
２つの洗い場洗浄ノズル６から吐出された洗浄水は、図１（ａ）、（ｂ）および図２（ａ）に示すように、それぞれ浴室の左右の領域において浴室壁面１１の下部に向けて扇形状に降り注ぎ、その後、徐々に洗浄水の吐出流量が減少していくので、洗浄水が降り注ぐ洗い場床面５の部位が排水勾配上流部から排水勾配下流部に向けて移る。
【００４８】
このため、排水勾配上流部から排水勾配下流部の洗い場の床面の各部位に洗浄水が直に降り注ぐために、床面の表面に沿って単に流れることで洗浄する場合に比べて、洗い場の床面の略全面を効果的に洗浄することができる。
【００４９】
しかも、排水勾配上流部に降り注いだ洗浄水とその下流部に降り注いだ洗浄水が合流して水量が増加しながら、排水勾配上流部から排水勾配下流部に向けて洗浄水が流れ、洗い場床面５の略全面を効果的に洗浄する。そして、洗浄水は排水部３から排出する。
【実施例２】
【００５０】
図３は、本発明の洗浄装置１４の実施例２を示す図である。この実施例２は、実施例１と略同じ構成であるが、洗い場洗浄ノズルの配置および洗浄水の吐出流量の制御が異なる。実施例２については、実施例１と異なる構成を中心に以下説明する。
【００５１】
この実施例２では、２つの洗い場洗浄ノズル１３を、それぞれ洗い場勾配上流部に設けている。具体的には、洗い場洗浄水供給管８を分岐して、それぞれ２つの洗い場洗浄ノズル１３に接続し、２つの洗い場洗浄ノズル１３を、それぞれ浴槽４に対向する浴室壁面１１の両端部（浴槽４と反対側の洗い場２の略コーナ部）に配置した。そして、２つの洗い場洗浄ノズル１３は、それぞれ洗い場勾配上流部から洗い場勾配下流部方向に、図３（ａ）に示すように、洗い場洗浄ノズル１３と排水部３と結ぶ線を略中心として、洗浄水を扇状に吐出する構成とした。                                   
【００５２】
そして、実施例２の洗浄装置１４において、２つの洗い場洗浄ノズル１３に洗浄水を供給するための配管系の全体構成は、図５に示す実施例１のブロック図と略同様であるが、図面は省略するが、洗い場洗浄水供給管は分岐して２つの洗い場洗浄ノズルにそれぞれ接続している。実施例２の特徴的な構成は、実施例１において説明した制御装置１の洗浄プログラムに含まれる洗い場洗浄ノズルからの洗浄水の吐出流量を徐々に増加する動作を、洗浄リモコンを操作して予め選択して設定しておく構成とした。
【００５３】
要するに、実施例２の洗浄装置１４は、２つの洗い場洗浄ノズル１３を、それぞれ洗い場勾配上流部に設けられており、しかも、図３（ｂ）においてア〜オに示すように、洗い場洗浄ノズル１３からの洗浄水の吐出流量を徐々に増加する構成とした。このように、洗浄水の吐出流量を徐々に増加すると、洗い場洗浄ノズル１３から吐出された洗浄水が直に降り注ぐ洗い場床面５の部位は、洗い場勾配上流部から洗い場勾配下流部に向けて連続的に徐々に移る。
【００５４】
これにより、実施例１と同様に、排水勾配上流部から排水勾配下流部の洗い場床面５の各部位に洗浄水が直に降り注ぐために、床面を単に流れることで洗浄する場合に比べて、洗い場床面５の略全面を効果的に洗浄することができる。しかも、排水勾配下流部に向かうに従い、排水勾配上流部と排水勾配上流部からの洗浄水が合流して水量が増え、洗い場床面５の洗浄効果を向上させることが可能となる。
【００５５】
仮に、上記とは逆に、洗い場洗浄ノズル１３からの吐出流量を徐々に減少すると、洗浄水が降り注ぐ洗い場床面５の部位は、洗い場勾配下流部から洗い場勾配上流部に向けて徐々に移る。この場合は、上記の場合に比較して、洗い場勾配下流部に向かうに従い、洗い場勾配上流部からの洗浄水も合流して水量が増えるようなことが少なく、洗い場勾配下流部から洗い場勾配上流部に向けてそれぞれの部位に降り注いだ洗浄水のみの流量の状態でそれぞれが洗い場勾配下流部に流れるので、洗浄効果が高くはない。
【００５６】
要するに、洗い場洗浄ノズル１３からの洗浄水の吐出流量を徐々に増加する構成とすると、洗い場洗浄ノズル１３からの洗浄水の吐出流量を徐々に減少する構成とする場合に較べて、洗浄水の吐出する流量の総量は同じでも、洗い場勾配上流部からの洗浄水と合流して流れるので、より効果的に洗浄が可能となる。
【００５７】
さらに、すすぎ水を吐出して洗い場床面に流してすすぐ際に、洗い場勾配下流部に吐出している状態から、徐々にすすぎ水の流量が増加するように変化させることにより、洗い場床面を流れているすすぎ水の流れに変動を与えることで、泡を流れ易くでき、これによってすすぎの効率を向上させることができる。
【００５８】
(変形例）
図４は、本発明の実施例２の変形例を示す図である。この変形例の洗浄装置１５は、上記実施例２と略同じ構成であるが、図４（ａ）に示すように、洗い場洗浄水供給管８を分岐して、それぞれ２つの洗い場洗浄ノズル１６に接続し、２つの洗い場洗浄ノズル１６を、それぞれ浴槽４のエプロン４’の長手方向の両端部のそれぞれに設ける構成とした。
【００５９】
要するに、２つの洗い場洗浄ノズル１６を、それぞれ排水勾配上流部でもある、洗い場２の略コーナ部に配置した。そして、図４（ａ）に示すように、２つの洗い場洗浄ノズル１６は、それぞれ洗い場洗浄ノズル１６と洗い場２の中央部２Ｃを結ぶ線を略中心として、洗浄水を扇状に吐出する構成とした。この変形例においても、上記実施例２と同様に、洗い場洗浄ノズル１６からの洗浄水の吐出流量を徐々に増加する構成とした。
【００６０】
この変形例では、洗い場洗浄ノズル１６から排水部３を結ぶライン上の洗い場床面５では、図４（ｂ）に示すように、洗い場洗浄ノズル１６から排水部３に向けて緩やかに下降する傾斜面が形成され、洗い場洗浄ノズル１６から吐出された洗浄水は、洗い場勾配上流部から洗い場勾配下流部に向かうように構成されている。しかし、上記実施例２に比べると、洗い場洗浄ノズル１６からの吐出される洗浄水が全て洗い場勾配上流部から洗い場勾配下流部に向かっている構成ではない。
【００６１】
むしろ、概ね、洗い場洗浄ノズル１６からの洗浄水を、洗い場勾配上流部の側方から吐出する構成である。しかしながら、上記図４（ｂ）に示すように、洗い場洗浄ノズル１５から排水部３を結ぶライン上の洗い場床面５では、洗い場勾配上流部から洗い場勾配下流部に向かう構成が少なからず含まれるので、洗い場勾配上流部から洗い場勾配下流部に向かっている構成の一例とした。
【００６２】
以上、本発明に係る洗浄装置を実施するための最良の形態を実施例に基づいて説明したが、本発明はこのような実施例に限定されるものではなく、特許請求の範囲に記載された技術的事項の範囲内でいろいろな実施例があることは言うまでもない。
【図面の簡単な説明】
【００６３】
【図１】（ａ）は本発明に係る洗浄装置の実施例１を説明するための斜視図であり、（ｂ）は側面図である。
【図２】（ａ）、（ｂ）は、それぞれ本発明に係る洗浄装置の実施例１の構成、作用を説明するための平面図、側面図である。
【図３】（ａ）は本発明の実施例２の平面図であり、（ｂ）は側面図である。
【図４】（ａ）は本発明の実施例２の変形例の平面図であり、（ｂ）はそのＡ−Ａ断面図である。
【図５】本発明に係る洗浄装置の実施例１、２について洗い場洗浄ノズルに洗浄水を供給するための配管系の全体構成を説明するブロック図である。
【符号の説明】
【００６４】
１、１４、１５   洗浄装置                              
２   洗い場                              
３   排水部                              
４   浴槽                                
４’   浴槽のエプロン                        
５   洗い場床面                            
６、１３、１６   洗い場洗浄ノズル                        
７   浴槽のエプロンの立面部              
８   洗い場洗浄水供給管                      
９   洗い場床面の左側の領域               
１０   洗い場床面の右側の領域                    
１１   浴室壁面                                 
１２  洗浄ユニット                           
２２  浴槽洗浄ノズル                         
２３  洗剤タンク                             
２４  給湯器（温水供給部）                   
２５  水栓                                   
２６  水道管                                 
２７  追い焚き用の配管                       
２８  浴槽用温水供給管                       
２９  洗浄リモコン                           
３０  浴室リモコン                           
３１  台所リモコン                           
３２  温水供給管                             
３３  浴槽洗浄水供給管                       
３４  三方弁                                 
３５  洗浄水供給管                             
３６  ベンチュリ                               
３７  水通路部                                 
３８  フィルタ                                 
３９  水量サーボ弁                             
４０  流量センサ                               
４１  注湯電磁弁                               
４２、４４  逆止弁                            
４３  縁切り弁                                
４５  洗剤電磁弁                              
４６  制御装置                                
４７  フロートスイッチ
４８  洗剤供給管
α   排水勾配                              
２Ｃ  洗い場の中央部                     
【図１】
2010148745.tif 000003
【図２】
2010148745.tif 000004
【図３】
2010148745.tif 000005
【図４】
2010148745.tif 000006
【図５】
2010148745.tif 000007